(57)【要約】【課題】ベース装置側に設けられている外部機器を、端末装置側から正しく遠隔制御できるようにする。【解決手段】情報通信システム１０では、無線ネットワーク８１あるいは有線ネットワーク８５を介してベース装置２０と端末装置４０が双方向通信を行う。端末装置４０は、リモートコントロール装置５９(６９)から送信されたリモコンリモートコントロール信号ＩＲs(ＩＲe)を受信して、リモコンコード情報を生成する。この生成したリモコンコード情報が、選択された外部機器６０に対応する判別情報と一致するときのみ、生成したリモートコンコード情報を装置端末装置４０からベース装置２０に送信する。ベース装置２０は、端末装置４０から供給されたリモコンコード情報に基づきリモートコントロール信号ＩＲbを生成してリモコン信号送信部２８から送信させる。【選択図】        図１
2008092558.tif 000002
【特許請求の範囲】
【請求項１】
ネットワークを介してベース装置と端末装置を接続して双方向通信を行う情報通信システムにおいて、
前記端末装置は、
リモートコントロール信号を受信してリモコン受信信号を生成するリモコン信号受信部と、
前記リモコン信号受信部で生成されたリモコン受信信号のデコード処理を行いリモコンコード情報を生成するリモコン受信信号処理部と、
前記リモコンコード情報を前記ベース装置に送信させる端末制御部を備え、
前記ベース装置は、
リモコンコード情報に基づきリモコン送信信号を生成するリモコン送信信号生成部と、
前記リモコン送信信号生成部で生成されたリモコン送信信号に基づいてリモートコントロール信号の送信を行うリモコン信号送信部と、
前記端末装置から供給された前記リモコンコード情報を前記リモコン送信信号生成部に供給するベース制御部を備え、
前記ベース装置と前記端末装置の少なくとも一方には、前記ベース装置および前記端末装置と異なる外部機器で用いるリモートコントロール信号であるか判別するための判別情報を記憶する記憶部を設け、
前記端末制御部において、前記リモコン受信信号処理部で生成されたリモコンコード情報が、選択された外部機器に対応する前記記憶部の判別情報と一致するとき、該リモコンコード情報を送信させる処理、又は前記ベース制御部において、前記端末装置から供給されたリモコンコード情報が、選択された外部機器に対応する前記記憶部の判別情報と一致するとき、該リモコンコード情報を前記リモコン送信信号生成部に供給する処理を行う
ことを特徴とする情報通信システム。
【請求項２】
前記記憶部は、前記判別情報として、前記リモートコントロール信号のフォーマットを示すフォーマット情報と該リモートコントロール信号で遠隔制御する機種を示す機種情報を記憶する
ことを特徴とする請求項１記載の情報通信システム。
【請求項３】
前記端末装置の端末制御部は、前記リモコンコード情報を送信可能とする第１の動作モードと、前記リモコンコード情報の送信を禁止する第２の動作モードを有し、前記リモコン受信信号処理部で生成されたリモコンコード情報に基づいて前記第１の動作モードと前記第２の動作モードを選択可能とした
ことを特徴とする請求項１記載の情報通信システム。
【請求項４】
前記端末装置の端末制御部は、前記リモコン受信信号処理部で生成されたリモコンコード情報から前記判別情報を生成して前記記憶部に記憶させる学習モードを有する
ことを特徴とする請求項１記載の情報通信システム。
【請求項５】
ネットワークを介してベース装置と端末装置を接続して双方向通信を行う情報通信方法において、
端末装置側は、
リモートコントロール信号を受信してリモコン受信信号を生成するリモコン信号受信手順と、
前記リモコン受信信号のデコード処理を行ってリモコンコード情報を生成するリモコン受信信号処理手順と、
前記リモコンコード情報を送信させる送信手順を行うものとし、
ベース装置側は、
前記送信されたリモコンコード情報を受信する受信手順と、
リモコン送信信号を生成するリモコン送信信号生成手順と、
前記リモコン送信信号に基づいてリモートコントロール信号の送信を行うリモコン信号送信手順を行うものとし、
前記送信手順において、前記生成されたリモコンコード情報が、選択された外部機器で用いるリモートコントロール信号であるか判別するための予め記憶された判別情報と一致するとき、該リモコンコード情報を送信する処理、又は前記受信手順において、受信したリモコンコード情報が、前記判別情報と一致するとき、該リモコンコード情報に基づいたリモコン送信信号を前記リモコン送信信号生成手順で生成させる処理を行う
ことを特徴とする情報通信方法。
【請求項６】
ネットワークを介して双方向通信を行う通信部と、
リモートコントロール信号を受信してリモコン受信信号を生成するリモコン信号受信部と、
前記リモコン信号受信部で生成されたリモコン受信信号のデコード処理を行いリモコンコード情報を生成するリモコン受信信号処理部と、
外部機器で用いるリモートコントロール信号であるか判別するための判別情報を記憶する記憶部と、
前記リモコン受信信号処理部で生成されたリモコンコード情報が、選択された外部機器に対応する前記記憶部の判別情報と一致するとき、該リモコンコード情報を前記通信部から送信させる端末制御部を有する
ことを特徴とする端末装置。
【請求項７】
前記記憶部は、前記判別情報として、前記リモートコントロール信号のフォーマットを示すフォーマット情報と該リモートコントロール信号で遠隔制御する機種を示す機種情報を記憶する
ことを特徴とする請求項６記載の端末装置。
【請求項８】
前記端末制御部は、前記リモコンコード情報を送信可能とする第１の動作モードと、前記リモコンコード情報の送信を禁止する第２の動作モードを有し、前記リモコン受信信号処理部で生成されたリモコンコード情報に基づいて前記第１の動作モードと前記第２の動作モードを選択可能とした
ことを特徴とする請求項６記載の端末装置。
【請求項９】
前記端末制御部は、前記リモコン受信信号処理部で生成されたリモコンコード情報から前記判別情報を生成して前記記憶部に記憶させる学習モードを有する
ことを特徴とする請求項６記載の端末装置。
【請求項１０】
リモートコントロール信号を受信してリモコン受信信号を生成する手順と、
前記リモコン受信信号のデコード処理を行いリモコンコード情報を生成する手順と、
前記生成されたリモコンコード情報が、選択された外部機器で用いるリモートコントロール信号であるか判別するための予め記憶された判別情報と一致するとき、該リモコンコード情報を送信する手順を行う
ことを特徴とする情報通信方法。
【請求項１１】
ネットワークを介して双方向通信を行う通信部と、
リモコンコード情報に基づきリモコン送信信号を生成するリモコン送信信号生成部と、
前記リモコン送信信号生成部で生成されたリモコン送信信号に基づいてリモートコントロール信号の送信を行うリモコン信号送信部と、
外部機器で用いるリモートコントロール信号であるか判別するための判別情報を記憶する記憶部と、
前記通信部を介して供給されたリモコンコード情報が、選択された外部機器に対応する前記記憶部の判別情報と一致するとき、該リモコンコード情報を前記リモコン送信信号生成部に供給するベース制御部を有する
ことを特徴とするベース装置。
【請求項１２】
前記記憶部は、前記判別情報として、前記リモートコントロール信号のフォーマットを示すフォーマット情報と該リモートコントロール信号で遠隔制御する機種を示す機種情報を記憶する
ことを特徴とする請求項１１記載のベース装置。
【請求項１３】
受信したリモコンコード情報が、選択された外部機器で用いるリモートコントロール信号であるか判別するための予め記憶された判別情報と一致するとき、該リモコンコード情報に基づきリモコン送信信号を生成する手順と、
前記生成されたリモコン送信信号に基づいてリモートコントロール信号の送信を行う手順を行う
ことを特徴とする情報処理方法。
【請求項１４】
コンピュータに、
リモートコントロール信号を受信してデコード処理を行うことにより得られたリモコンコード情報が、選択された外部機器で用いるリモートコントロール信号であるか判別するための予め記憶された判別情報と、一致するか否か判定するステップと、
前記リモコンコード情報が前記判別情報と一致するとき、該リモコンコード情報を送信させるステップを実行させる
ことを特徴とするプログラム。
【請求項１５】
コンピュータに、リモートコントロール信号を受信してデコード処理を行うことにより得られたリモコンコード情報が、選択された外部機器で用いるリモートコントロール信号であるか判別するための予め記憶された判別情報と、一致するか否か判定するステップと、前記リモコンコード情報が前記判別情報と一致するとき、該リモコンコード情報を送信させるステップを実行させるプログラムを記録した
ことを特徴とするコンピュータ読み取り可能な記録媒体。
【請求項１６】
コンピュータに、
受信したリモコンコード情報が、選択された外部機器で用いるリモートコントロール信号であるか判別するための予め記憶された判別情報と、一致するか否かを判定するステップと、
前記リモコンコード情報が前記判別情報と一致するとき、該リモコンコード情報に基づきリモートコントロール信号を生成して送信させるステップを実行させる
ことを特徴とするプログラム。
【請求項１７】
コンピュータに、受信したリモコンコード情報が、選択された外部機器で用いるリモートコントロール信号であるか判別するための予め記憶された判別情報と、一致するか否かを判定するステップと、前記リモコンコード情報が前記判別情報と一致するとき、該リモコンコード情報に基づきリモートコントロール信号を生成して送信させるステップを実行させるプログラムを記録した
ことを特徴するコンピュータ読み取り可能な記録媒体。
【発明の詳細な説明】
【技術分野】
【０００１】
この発明は、情報通信システム、端末装置、ベース装置、情報通信方法、情報処理方法、およびプログラムと記録媒体に関する。詳しくは、リモートコントロール信号を受信する端末装置は、リモートコントロール信号を受信してデコード処理を行うことにより得られたリモコンコード情報をベース装置に送信する。また、ベース装置は、受信したリモコンコード情報に基づきリモコン送信信号を生成して、このリモコン送信信号に基づいたリモートコントロール信号を外部機器に送信する。ここで、リモートコントロール信号を受信して生成されたリモコンコード情報が、ユーザーによって選択された外部機器で用いるリモートコントロール信号であるか判別するための判別情報と一致するとき、リモコンコード情報の送信あるいはリモコンコード情報に基づいたリモコン送信信号の生成を行うことで、選択された外部機器で用いるリモートコントロール信号と異なるリモートコントロール信号がベース装置から送信させてしまうことを防止するものである。
【背景技術】
【０００２】
従来の情報通信システムでは、ベース装置で放送番組をハードディスク等に録画して、この録画した放送番組の映像音声信号を、インターネット等のネットワークを介して端末装置に送信することで、離れた位置からでも放送番組を視聴することができるようになされている。また、ベース装置にＶＣＲ(Video Cassette Recorder)やＤＶＤ(Digital Video Disk)装置等の外部機器を接続して、外部機器からベース装置に入力された映像音声信号を端末装置に送信することも行われている。
【０００３】
このように、ベース装置に外部機器を接続する場合、端末装置側からでも外部機器を遠隔制御できるように、特許文献１の発明では、遠隔操作手段より無線信号で送られてくる操作信号をディジタルデータ化してベース装置に送信して、このベース装置に送信されたディジタルデータ化された操作信号に応じて無線信号を生成して外部機器に送信することが行われている。
【０００４】
【特許文献１】特開２００４−２４１９２５号公報
【発明の開示】
【発明が解決しようとする課題】
【０００５】
ところで、ベース装置と端末装置のそれぞれに、同じリモートコントロール信号で動作する外部機器、例えばテレビジョン装置が接続されている場合、端末装置に接続されているテレビジョン装置の音量を調整するリモコン操作を行ったとき、このリモコン操作を行ったリモートコントロール装置から送信されたリモートコントロール信号が端末装置で受信されてしまうと、この受信されたリモートコントロール信号がベース装置に接続されたリモコン信号送信部から出力されて、ベース装置に接続されたテレビジョン装置の音量が変更されてしまう。また、チャネル切替操作が行われたときにスタンバイ状態から動作状態に自動的に切り替わるテレビジョン装置がベース装置に接続されている場合、端末装置に接続されているテレビジョン装置のチャネル切替操作が行われると、ベース装置に接続されたテレビジョン装置が自動的に動作状態となってしまう場合も生じる。
【０００６】
さらに、リモートコントロール信号を受信したとき、照明器具等の影響やノイズ等の影響によって、誤ったリモコン受信信号が生成されると、ベース装置から誤ったリモートコントロール信号が送信されて、操作すべき外部機器とは異なる外部機器の遠隔制御が行われてしまうおそれもある。
【０００７】
そこで、この発明では、ベース装置側に設けられている外部機器を、端末装置側から正しく遠隔制御できるようにするものである。
【課題を解決するための手段】
【０００８】
この発明の概念は、ネットワークを介してベース装置と端末装置を接続して双方向通信を行う場合、端末装置でリモートコントロール信号を受信して生成されたリモコンコード情報が、選択された外部機器に対応する判別情報と一致するとき、このリモコンコード情報に基づいて生成されたリモートコントロール信号をベース装置から送信させることにある。この発明の情報通信システムにおける端末装置は、リモートコントロール信号を受信してリモコン受信信号を生成するリモコン信号受信部と、リモコン信号受信部で生成されたリモコン受信信号のデコード処理を行いリモコンコード情報を生成するリモコン受信信号処理部と、リモコンコード情報をベース装置に送信させる端末制御部を備え、ベース装置は、リモコンコード情報に基づきリモコン送信信号を生成するリモコン送信信号生成部と、リモコン送信信号生成部で生成されたリモコン送信信号に基づいてリモートコントロール信号の送信を行うリモコン信号送信部と、端末装置から供給されたリモコンコード情報をリモコン送信信号生成部に供給するベース制御部を備え、ベース装置と端末装置の少なくとも一方には、ベース装置および端末装置と異なる外部機器で用いるリモートコントロール信号であるか判別するための判別情報を記憶する記憶部を設け、端末制御部において、リモコン受信信号処理部で生成されたリモコンコード情報が、選択された外部機器に対応する記憶部の判別情報と一致するとき、該リモコンコード情報を送信させる処理、又はベース制御部において、端末装置から供給されたリモコンコード情報が、選択された外部機器に対応する記憶部の判別情報と一致するとき、該リモコンコード情報をリモコン送信信号生成部に供給する処理を行うものである。
【０００９】
ここで、選択された外部機器で用いるリモートコントロール信号であるか判別するための判別情報とは、リモートコントロール信号を受信して生成されるリモコンコード情報の一部と対応する情報であり、例えばリモートコントロール信号のフォーマットを示すフォーマット情報とリモートコントロール信号で遠隔制御する機種を示す機種情報で判別情報を構成する。
【００１０】
また、端末装置では、リモコンコード情報を送信可能とする第１の動作モードと、リモコンコード情報の送信を禁止する第２の動作モードを、受信したリモートコントロール信号に基づいて選択可能とする。
【００１１】
この発明では、第１の動作モードが選択された場合、端末装置でリモートコントロール信号を受信して生成されたリモコンコード情報が、選択された外部機器に対応する判別情報と一致するときのみ、端末装置からベース装置にリモコンコード情報が送信されて、このリモコンコード情報に基づいて生成されたリモートコントロール信号がベース装置から送信される。又は、端末装置からベース装置にリモコンコード情報が送信されて、この送信されたリモコンコード情報が、選択された外部機器に対応する判別情報と一致するときのみ、このリモコンコード情報に基づいたリモートコントロール信号の生成が行われて、生成されたリモートコントロール信号がベース装置から送信される。さらに、第２の動作モードが選択された場合、端末装置側で受信されたリモートコントロール信号によるベース装置側に設けられた外部機器の遠隔制御が禁止される。
【発明の効果】
【００１２】
この発明によれば、ネットワークを介してベース装置と端末装置を接続して双方向通信を行う場合、端末装置でリモートコントロール信号を受信して生成されたリモコンコード情報が、選択された外部機器に対応する判別情報と一致するとき、このリモコンコード情報に基づいて生成されたリモートコントロール信号がベース装置から送信される。
【００１３】
このため、ユーザーによって選択された外部機器の判別情報と異なるリモコンコード情報が端末装置で生成されても、このリモコンコード情報に基づいたリモートコントロール信号がベース装置から送信されることがないので、リモートコントロール信号の受信が正しく行われなかった場合や、選択された外部機器とは異なる機器に対応したリモートコントロール信号が受信された場合、外部機器の遠隔制御が行われることがなく、端末装置側からベース装置側に設けられている外部機器を正しく遠隔制御することができる。
【発明を実施するための最良の形態】
【００１４】
以下、図を参照しながら、この発明の実施の一形態について説明する。図１は、情報通信システムの構成を示している。情報通信システム１０は、ベース装置２０と端末装置４０を用いて構成されている。ベース装置２０と端末装置４０は、送受信アンテナ２６３，４１１を用いた無線信号の送受信によって、無線ネットワーク８１を構成するようになれており、この無線ネットワーク８１を介して双方向通信を行う。また、ベース装置２０と端末装置４０は、有線ネットワーク８２に接続可能とされており、この有線ネットワーク８２を介して双方向通信を行う。
【００１５】
ベース装置２０は、放送受信アンテナ２１で放送波を受信して放送番組の映像音声信号を得られるように構成されている。なお、映像音声信号は、映像と音声の両方を含む信号に限られるものではなく、映像と音声のいずれか一方のみ信号を含むものである。また、ベース装置２０には、映像音声信号の出力が可能な外部機器６０、例えばＶＣＲ(Video Cassette Recorder)やＤＶＤ(Digital Video Disk)装置が接続可能とされている。
【００１６】
このベース装置２０は、放送番組の映像音声信号又は外部機器６０から供給された映像音声信号を、無線ネットワーク８１あるいは有線ネットワーク８２を介して端末装置４０に送信する処理を行う。さらに、ベース装置２０には、リモートコントロール信号ＩＲbを送信するリモコン信号送信部２８が接続されている。
【００１７】
端末装置４０は、映像表示装置や音声出力装置が接続可能とされている。なお、図１では、映像表示装置および音声出力装置として、映像表示と音声出力が可能であるテレビジョン装置７０を用いた場合を図示している。この端末装置４０は、ベース装置２０から供給された映像音声信号をテレビジョン装置７０に供給して、ベース装置２０から供給された映像や音声のテレビジョン装置７０で提示させる。
【００１８】
また、端末装置４０は、付属されているリモートコントロール装置５９から送信されたリモートコントロール信号ＩＲsを受信して、ユーザー操作に応じた動作を行う。また、リモートコントロール信号ＩＲsに基づき情報信号を生成して、無線ネットワーク８１や有線ネットワーク８２を介してベース装置２０に供給することで、ユーザー操作に応じてベース装置２０を動作させる。さらに、端末装置４０は、リモートコントロール装置６９から送信された外部機器に対応するリモートコントロール信号ＩＲeを受信してリモコンコード情報の生成を行い、生成したリモコンコード情報を無線ネットワーク８１や有線ネットワーク８２を介してベース装置２０に供給することで、ベース装置２０のリモコン信号送信部２８から、リモートコントロール信号ＩＲeと等しいリモートコントロール信号ＩＲbを送信させる。
【００１９】
また、端末装置４０は、映像表示装置であるテレビジョン装置７０を利用したソフトウェアキー機能を設けて、テレビジョン装置７０の画面上に表示した操作入力表示を、例えばリモートコントロール装置５９を利用して操作することで、端末装置４０の設定や動作の切り替え等だけでなく、ベース装置２０の設定や動作の切り替え等を行うこともできるようになされている。
【００２０】
このように情報通信システム１０を構成することで、映像表示装置や音声出力装置がベース装置２０から離れた場所に設けられていても、この映像表示装置や音声出力装置を端末装置４０に接続して、無線ネットワーク８１や有線ネットワーク８２を介した双方向通信を行うことで、ベース装置２０で受信された放送番組の映像や音声、あるいはベース装置２０に供給された映像音声信号に基づく映像や音声を、端末装置４０に接続された映像表示装置や音声出力装置で提示させることができる。また、端末装置４０から映像信号Ｖoutと音声信号Ａoutが出力されるので、既存の映像表示装置や音声出力装置例えば既存のテレビジョン装置等を利用することが可能となる。また、端末装置４０に、映像表示のための表示デバイスや音声出力のためのスピーカ等を設ける必要がないので、端末装置４０を安価かつ小型化できる。
【００２１】
さらに、無線ネットワーク８１を利用して双方向通信を行う場合、ベース装置２０と端末装置４０をケーブルで接続する必要がないので、例えば家庭内等で情報通信システムを簡単に構成できる。また、有線ネットワーク８２を利用して双方向通信を行う場合には、互いの無線信号が届かないような離れた位置にベース装置２０と端末装置４０が設けられていても、ベース装置２０から端末装置４０に対して映像音声信号を供給できる。このため、例えばインターネットを利用してベース装置２０と端末装置４０との双方向通信を行うものとすれば、ベース装置２０が設けられている国の放送番組等を、異なる国に設けられた端末装置４０に接続されたテレビジョン装置等で視聴することが可能となる。なお、図示せずも、無線ネットワーク８１ではアクセスポイント、有線ネットワーク８２ではルータ等も用いられる。
【００２２】
次に、ベース装置２０と端末装置４０について説明する。図２はベース装置２０の構成を示している。放送受信アンテナ２１は、放送波を受信するためのアンテナである。放送受信アンテナ２１で放送波を受信することにより得られた放送受信信号ＲＦtvは、チューナ２２に供給される。
【００２３】
チューナ２２は、後述するベース制御部３０から供給された制御信号ＣＴtuに基づき選局動作を行い、ベース制御部３０によって指示されたチャネルの映像音声信号Ｓtvを生成してセレクタ２４に供給する。
【００２４】
外部入力端子２３は、ベース装置２０に外部機器６０を接続するためのものである。この外部入力端子２３を介して外部機器６０から供給された映像音声信号Ｓexは、セレクタ２４に供給される。
【００２５】
セレクタ２４は、ベース制御部３０からの制御信号ＣＴseに基づき、チューナ２２から供給された映像音声信号Ｓtv、又は外部入力端子２３を介して入力された映像音声信号Ｓexを選択する。さらに、セレクタ２４は、選択した映像音声信号を選択映像音声信号Ｓseとして圧縮処理部２５に供給する。
【００２６】
圧縮処理部２５は、供給された選択映像音声信号Ｓseを所定の圧縮方式で圧縮処理する。この圧縮処理部２５では、例えば、ＭＰＥＧ方式やウェーブレット(Wavelet)方式などの圧縮方式を用いて、選択映像音声信号Ｓseの圧縮を行う。なお、圧縮処理部２５では、供給された選択映像音声信号Ｓseがアナログ信号であるとき、選択映像音声信号Ｓseをディジタル信号に変換したのち圧縮処理を行う。圧縮処理部２５は、圧縮処理を行うことにより得られた符号化信号Ｄeを、通信部２６の無線送信処理部２６１又は通信インタフェース部２６５に供給する。
【００２７】
無線送信処理部２６１は、符号化信号Ｄeや後述するベース制御部３０から供給された情報信号ＴＤaを、予め決められた通信プロトコルに準拠した送信信号に変換する。例えば、無線送信処理部２６１は、映像や音声がとぎれないように符号化信号Ｄeを送信するため、コネクションレス方式の通信プロトコルであるＵＤＰ(User Datagram Protocol)に準拠した信号に符号化信号Ｄeを変換する。また、情報信号ＴＤaの通信を確実に行うため、コネクション方式の通信プロトコルであるＴＣＰ(Transmission Control Protocol)に準拠した信号に情報信号ＴＤaを変換する。この変換後の信号をパケット化して、端末装置４０のアドレス等を示すヘッダ情報等を付加する。このパケット化した信号のインタリーブ処理や変調処理および増幅処理等を行い、ＩＥＥＥ(Institute Electrical and Electronics Engineers)８０２．１１方式のプロトコル等に準拠した送信信号ＲＦatに変換する。
【００２８】
このようにして生成された送信信号ＲＦatは、アンテナ共用器（デュプレクサ）２６２、送受信アンテナ２６３を通じて無線送信される。なお、デュプレクサ２６２は、送信信号と受信信号とが干渉し合うことを防止するものである。
【００２９】
送受信アンテナ２６３で無線信号を受信して得られた受信信号ＲＦbrは、デュプレクサ２６２を通じて無線受信処理部２６４に供給される。無線受信処理部２６４は、受信信号ＲＦbrの増幅処理や復調処理およびデインタリーブ処理等を行う。さらに、ヘッダ情報が自己のアドレスを示す自己宛のパケット信号を取り出してデパケット化を行い、得られた情報信号ＴＤbをベース制御部３０に供給する。
【００３０】
通信インタフェース部２６５は、符号化信号Ｄeやベース制御部３０から供給された情報信号ＴＤaを、上述のように予め決められた通信プロトコルに準拠した信号に変換する。この変換後の信号をパケット化して、端末装置４０のアドレス等を示すヘッダ情報等を付加してフレーム化したのち、フレームヘッダを付加して通信信号ＬＳaとして有線ネットワーク８２に送信する。また、有線ネットワーク８２を介して供給された通信信号ＬＳbから自己宛のフレームを選択したのちデパケット化等を行い、得られた情報信号ＴＤbをベース制御部３０に供給する。なお、通信インタフェース部２６５では、公衆通信回線と接続するための通信デバイス（例えばモデムやターミナルアダプタ）が、ベース装置２０と独立して設けられていないときには、この通信デバイスを通信インタフェース部２６５に設けるものとする。
【００３１】
リモコン送信信号生成部２７は、ベース制御部３０から供給されたリモコンコード情報Ｊrmbに基づいて、リモコン送信信号Ｄrmbを生成してリモコン信号送信部２８に供給する。
【００３２】
リモコン信号送信部２８は、リモコン送信信号生成部２７から供給されたリモコン送信信号Ｄrmbに基づくリモートコントロール信号ＩＲbを送信する。例えば、リモコン信号送信部２８は、供給されたリモコン送信信号Ｄrmbで赤外発光ダイオードを駆動して、赤外線を用いたリモートコントロール信号ＩＲbを送信する。
【００３３】
ベース制御部３０は、ＣＰＵ(Central Processing Unit)３０１、ＲＯＭ(Read Only Memory)３０２、ＲＡＭ(Random Access Memory)３０３、ＥＥＰＲＯＭ(Electrically Erasable Programmable Read Only Memory)３０４を用いて構成されている。また、ベース制御部３０と上述の各部はバス３１を通じて接続されている。
【００３４】
ＲＯＭ３０２は、ベース装置２０を動作させるための各種のプログラムや処理に必要なデータなどが記録されたものである。ＲＡＭ３０３は、ＣＰＵ３０１で各種の処理を行うときに得られたデータを一時的に記憶保持するなど、主に各種の処理の作業領域として用いられるものである。ＥＥＰＲＯＭ３０４は、いわゆる不揮発性のメモリであり、電力供給が停止されても、書き換え可能な情報が失われることなく保持されるものである。例えば、ベース装置２０の主電源がオフ状態とされる直前まで選局していた放送チャネルの情報を記憶保持し、主電源が再度オン状態とされたときは、前回主電源がオフ状態とされたときに選局していたチャネルを選局させるいわゆるラストチャネルメモリ機能が実現される。また、ベース装置２０の設定状態を示す情報等も記憶される。
【００３５】
ＣＰＵ３０１は、ＲＯＭ３０２に記憶されているプログラムを実行して、ベース装置２０が所望の動作となるように各部の制御を行う。
【００３６】
図３は、端末装置４０の構成を示している。通信部４１の送受信アンテナ４１１で無線信号を受信することにより得られた受信信号ＲＦarはデュプレクサ４１２を介して無線受信処理部４１３に供給される。
【００３７】
無線受信処理部４１３は、ベース装置２０における通信部２６の無線受信処理部２６４と同様に、供給された受信信号ＲＦarの増幅処理や復調処理およびデインタリーブ処理やデパケット化等を行う。ここで、無線受信処理部４１３は、符号化信号Ｄeが得られたとき、この符号化信号Ｄeを伸長処理部４２供給する。また、情報信号ＴＤaが得られたとき、この情報信号ＴＤaを端末制御部５０に供給する。
【００３８】
伸長処理部４２は、無線受信処理部４１３から供給され符号化信号Ｄeを映像と音声の符号化信号に分離する分離処理を行う。さらに、伸長処理部４２は、映像の符号化信号の伸長処理を行い、圧縮処理前の状態である映像信号を生成して映像信号Ｓvとしてオンスクリーン表示処理部４３に供給する。また、音声の符号化信号の伸長処理を行い、圧縮処理前の状態である音声信号を生成して音声信号Ａoutとして音声出力端子４５から出力する。
【００３９】
オンスクリーン表示処理部４３は、端末制御部５０から供給される制御信号ＣＴosdに応じて、メッセージ表示、メニュー画面表示あるいは操作画面表示等のオンスクリーン表示を行うことができるように映像信号を処理するものである。すなわち、オンスクリーン表示処理部４３は、オンスクリーン表示の文字や絵および記号等の表示信号と、伸長処理部４２から供給された映像信号Ｓvを用いて、いわゆるアルファブレンディング処理を行い、伸長処理部４２から供給された映像信号Ｓvに基づく映像上に、オンスクリーン表示を透過的に重畳された映像表示の映像信号Ｖoutを生成する。さらに、生成した映像信号Ｖoutを映像出力端子４４から出力する。なお、映像出力端子４４と音声出力端子４５からアナログ信号を出力する場合には、伸長処理部４２やオンスクリーン表示処理部４３でディジタル／アナログ変換を行うものとする。
【００４０】
通信部４１の無線送信処理部４１４は、ベース装置２０における通信部２６の無線送信処理部２６１と同様に、端末制御部５０から供給された情報信号ＴＤbに基づき、予め決められた通信プロトコルに準拠した送信信号ＲＦbtを生成する。さらに、生成した送信信号ＲＦbtを、デュプレクサ４１２および送受信アンテナ４１１を通じて無線送信する。
【００４１】
通信インタフェース部４１５は、有線ネットワーク８２を介して供給された通信信号ＬＳaから自己宛のフレームを選択したのちデパケット化等を行う。ここで、情報信号ＴＤaが得られたときは、情報信号ＴＤaをベース制御部３０に供給する。また、符号化信号Ｄeが得られたときは、符号化信号Ｄeを伸長処理部４２に供給する。さらに、通信インタフェース部４１５は、端末制御部５０から供給された情報信号ＴＤbを、上述のように予め決められた通信プロトコルに準拠した信号に変換する。この変換後の信号をパケット化して、ベース装置２０のアドレス等を示すヘッダ情報等を付加してフレーム化したのち、フレームヘッダを付加して通信信号ＬＳbとして有線ネットワーク８２に送信する。なお、通信インタフェース部４１５では、公衆通信回線と接続するための通信デバイス（例えばモデムやターミナルアダプタ）が、端末装置４０と独立して設けられていないときには、この通信デバイスを通信インタフェース部４１５に設けるものとする。
【００４２】
リモコン信号受信部４６は、リモートコントロール装置５９(６９)から送信されたリモートコントロール信号ＩＲs(ＩＲe)を受信してリモコン受信信号Ｄrmcを生成する。例えば、リモートコントロール装置５９から赤外線のリモートコントロール信号ＩＲs(ＩＲe)の送信が行われているとき、リモコン信号受信部４６は、光電変換を行い赤外線のリモートコントロール信号ＩＲs(ＩＲe)に応じた電気信号を受信信号として生成する。また、リモコン信号受信部４６は、受信信号を増幅したのち振幅制限を行いリモコン受信信号Ｄrmcを生成する。このようにしてリモコン受信信号Ｄrmcを生成すれば、リモートコントロール信号ＩＲs(ＩＲe)の供給方向が変化しても、所望の信号レベルのリモコン受信信号Ｄrmcが得られるようになる。リモコン信号受信部４６は、生成したリモコン受信信号Ｄrmcをリモコン受信信号処理部４７に供給する。
【００４３】
リモコン受信信号処理部４７は、リモコン受信信号Ｄrmcのデコード処理を行いリモコンコード情報Ｊrmcを生成する。このデコード処理では、リモートコントロール信号ＩＲs(ＩＲe)の搬送波周波数の判別結果と、リモコン受信信号Ｄrmcから搬送波成分を除去したのち二値化して得られたディジタル信号に基づき、リモートコントロール信号ＩＲs(ＩＲe)が、いずれの製造メーカーのフォーマットであるかを判別してフォーマット情報を生成する。また、この二値化して得られたディジタル信号において、いずれのカテゴリの機種に対する信号であるかを示すコード信号を機種情報、どのような制御機能を実行するための信号であるかを示すコード信号を機能情報とする。さらに、フォーマット情報と機種情報と機能情報を用いてリモコンコード情報Ｊrmcを構成して、端末制御部５０に供給する。
【００４４】
端末制御部５０は、ＣＰＵ５０１、ＲＯＭ５０２、ＲＡＭ５０３、ＥＥＰＲＯＭ５０４を用いて構成されている。また、端末制御部５０と上述の各部はバス５１を介して接続されている。
【００４５】
ＲＯＭ５０２は、端末装置４０を動作させるための各種のプログラムや処理に必要なデータなどが記録されたものである。ＲＡＭ５０３は、ＣＰＵ５０１で各種の処理を行うときに得られたデータを一時的に記憶保持するなど、主に各種の処理の作業領域として用いられるものである。ＥＥＰＲＯＭ５０４は、いわゆる不揮発性のメモリであり、電力供給が停止されても、書き換え可能な情報が失われることなく保持されるものである。このＥＥＰＲＯＭ５０４には、端末装置４０の設定状態を示す情報等が記憶される。
【００４６】
ＣＰＵ５０１は、ＲＯＭ５０２に記憶されているプログラムを実行して、端末装置４０が所望の動作となるように各部の制御を行う。
【００４７】
なお、ベース装置２０や端末装置４０では、ベース制御部３０や端末制御部５０で実行するプログラムを記録媒体に記憶しておき、この記録媒体に記録されたプログラムを読み出してＥＥＰＲＯＭ３０４，５０４に記憶させて、ＣＰＵ３０１，５０１で実行させるものとしてもよい。さらに、プログラムを無線ネットワーク８１や有線ネットワーク８２を介して、ＥＥＰＲＯＭ３０４，５０４に記憶させて、ＣＰＵ３０１，５０１で実行させることもできる。また、プログラムだけでなく、更新データ等を記憶媒体に記録して、この記録媒体に記録された更新データ等でベース制御部３０や端末制御部５０に記憶されているデータを更新するものとしてもよい。さらに、無線ネットワーク８１や有線ネットワーク８２を介して更新データ等の供給を行うことで、ベース制御部３０や端末制御部５０に記憶されているデータを更新することもできる。
【００４８】
次に、情報通信システムの動作について説明する。まず、ユーザーによる操作入力を端末装置４０で受け付け、この操作入力に応じてベース装置２０を動作させる場合について説明する。端末装置４０の端末制御部５０は、端末装置４０に添付されているリモートコントロール装置５９からのリモートコントロール信号ＩＲsを受信して得られたリモコンコード情報Ｊrmcに基づき、どのようなユーザー操作が行われたかを判別して、この判別結果に基づきベース装置２０を制御するための情報信号ＴＤbを生成する。例えば、リモートコントロール装置５９で入力切替操作が行われたとき、端末装置４０は、情報信号ＴＤbとして、ベース装置２０から端末装置４０に供給する信号を、放送番組の映像音声信号あるいは外部機器６０からの映像音声信号に切り替える信号を生成する。
【００４９】
また、端末装置４０の端末制御部５０は、オンスクリーン表示処理部４３を制御して、操作入力表示をテレビジョン装置７０の画面上に表示させる。さらに、端末制御部５０は、操作入力表示を行っているときにリモートコントロール信号ＩＲsを受信して得られたリモコンコード情報Ｊrmcに基づき、どのようなユーザー操作が行われたかを判別して、この判別結果に基づき情報信号ＴＤbを生成する。例えば、端末制御部５０は、操作入力表示として視聴可能な放送のチャネル表示を行い、このとき得られたリモコンコード情報Ｊrmcに基づきユーザーがリモートコントロール装置５９を操作して選択したチャネルを判別する。さらに、判別したチャネルをベース装置２０で選局させるための信号を情報信号ＴＤbとして生成する。
【００５０】
さらに、端末装置４０の端末制御部５０は、無線ネットワーク８１を介してベース装置２０と双方向通信を行うように設定されている場合、生成した情報信号ＴＤbを無線送信処理部４１４に供給する。また、有線ネットワーク８２を介してベース装置２０と双方向通信を行うように設定されている場合、生成した情報信号ＴＤbを通信インタフェース部４１５に供給する。
【００５１】
無線送信処理部４１４は、端末制御部５０から供給された情報信号ＴＤbを送信信号ＲＦbtに変換してデュプレクサ４１２を介して送受信アンテナ４１１に供給することで、送信信号ＲＦbtを無線信号としてベース装置２０に送信する。
【００５２】
通信インタフェース部４１５は、端末制御部５０から供給された情報信号ＴＤbを通信信号ＬＳbに変換して有線ネットワーク８２に出力する。                          +
ベース装置２０は、送受信アンテナ２６３で無線信号を受信して得られた受信信号ＲＦbrを、無線受信処理部２６４に供給する。無線受信処理部２６４は受信信号ＲＦbrの復調処理等を行い、得られた情報信号ＴＤbをベース制御部３０に供給する。また、通信インタフェース部２６５は、通信信号ＬＳbから自己宛の情報信号ＴＤbを取り出してベース制御部３０に供給する。
【００５３】
ベース制御部３０は、情報信号ＴＤbに基づいてチューナ２２やセレクタ２４を制御する。例えば情報信号ＴＤbが入力切替操作を示しているときは、制御信号ＣＴseを生成してセレクタ２４に供給することで、圧縮処理部２５に供給する信号を切り替える。また。情報信号ＴＤbがチャネルを示しているときは、制御信号ＣＴtuを生成してチューナ２２に供給することで、情報信号ＴＤbによって示されたチャネルの放送番組をチューナ２２で選局させる。
【００５４】
ベース装置２０は、端末装置４０から示されたチャネルで放送された放送番組の映像音声信号Ｓtvを、選択映像音声信号Ｓseとして圧縮処理部２５に供給して圧縮する。また、端末装置４０からの入力切替指示によって選択処理を行うことにより得られた選択映像音声信号Ｓseを圧縮処理部２５に供給して圧縮する。ここで、双方向通信が無線ネットワーク８１を介して行われるとき、圧縮処理部２５で得られた符号化信号Ｄeは無線送信処理部２６１に供給する。また、ベース装置２０のベース制御部３０で端末装置４０に供給する情報信号ＴＤaを生成したとき、この情報信号ＴＤaを無線送信処理部２６１に供給する。双方向通信が有線ネットワーク８２を介して行われるとき、圧縮処理部２５で得られた符号化信号Ｄeやベース制御部３０で生成した情報信号ＴＤaは通信インタフェース部２６５に供給する。
【００５５】
無線送信処理部２６１は、符号化信号Ｄeや情報信号ＴＤaに基づいた送信信号ＲＦatを生成して、デュプレクサ２６２を介して送受信アンテナ２６３に供給することで、送信信号ＲＦatを無線信号として端末装置４０に送信する。
【００５６】
通信インタフェース部２６５は、符号化信号Ｄeや情報信号ＴＤaを所定のプロトコルの通信信号ＬＳaに変換して有線ネットワーク８２に出力する。
【００５７】
端末装置４０は、送受信アンテナ４１１で無線信号を受信して得られた受信信号ＲＦarを、無線受信処理部４１３に供給する。無線受信処理部４１３は、受信信号ＲＦarの復調処理等を行ことにより得られた信号が符号化信号Ｄeであるときは、この符号化信号Ｄeを伸長処理部４２に供給する。また、情報信号ＴＤaが得られたときは、この情報信号ＴＤaを端末制御部５０に供給する。
【００５８】
通信インタフェース部４１５は、通信信号ＬＳaのデパケット処理等を行い、得られた信号が符号化信号Ｄeであるときは、この符号化信号Ｄeを伸長処理部４２に供給する。また、情報信号ＴＤaが得られたときは、この情報信号ＴＤaを端末制御部５０に供給する。
【００５９】
伸長処理部４２は、符号化信号Ｄeの伸長処理を行い、得られた映像信号Ｓvをオンスクリーン表示処理部４３に供給してオンスクリーン表示が重畳された映像信号Ｖoutを映像出力端子４４から出力する。また、伸長処理後の音声信号Ａoutを音声出力端子４５から出力する。
【００６０】
このようにして、ベース装置２０と端末装置４０が離れた位置に設けられていても、端末装置４０からユーザー操作に応じてベース装置２０を遠隔制御することで、ベース装置２０で受信した放送番組の映像信号や外部機器６０からベース装置２０に供給された映像信号に基づいた映像を、端末装置４０に接続されているテレビジョン装置７０で表示させることができる。また、ベース装置２０で受信した放送番組の音声信号や外部機器６０からベース装置２０に供給された音声信号に基づいた音声を、端末装置４０に接続されているテレビジョン装置７０から出力させることができる。
【００６１】
この情報通信システム１０では、端末装置４０側でリモートコントロール装置を操作したとき、このリモートコントロール装置から送信されたリモートコントロール信号と等しいリモートコントロール信号を、ベース装置２０に設けたリモコン信号送信部２８から送信させることで、端末装置４０側でリモートコントロール装置によってベース装置２０側に設けた外部機器を遠隔制御できる機能（以下「リモコンスルー機能」という）が設けられている。
【００６２】
リモコンスルー機能を用いる場合、端末装置４０側では、外部機器に対応するリモートコントロール信号を送信するリモートコントロール装置６９を用いる。また、ベース装置２０側に設けられる外部機器は、ベース装置２０に接続して映像音声信号の供給を行う機器に限られるものではなく、リモコン信号送信部２８から送信されたリモートコントロール信号に基づいて動作の切り替え等が可能な機器であればよい。例えば、遠隔制御が可能な照明機器や空調機器、窓シャッター等の機器であってもよい。
【００６３】
ここで、リモートコントロール装置６９から送信されたリモートコントロール信号ＩＲeを受信したときに得られるリモコンコード情報Ｊrmcが、照明の影響やノイズの影響等によって誤ったものとなった場合、この誤ったリモコンコード情報Ｊrmcに基づいて生成したリモートコントロール信号を、ベース装置２０のリモコン信号送信部２８からリモートコントロール信号ＩＲbとして送信すると、リモートコントロール装置６９で遠隔制御される機器とは異なる機器の遠隔制御が誤って行われてしまううおそれがある。したがって、ベース装置２０側に設けられている外部機器６０を端末装置４０側から正しく遠隔制御できるようにするため、端末装置４０でリモートコントロール信号を受信して生成されたリモコンコード情報Ｊrmcが、外部機器６０で用いるリモートコントロール信号であるか判別するための予め記憶された判別情報Ｊesと一致するとき、この一致するリモコンコード情報に基づいて生成されたリモートコントロール信号ＩＲbをベース装置２０から送信させる処理を行う。
【００６４】
リモコンスルー機能を利用する場合、どのような外部機器６０がベース装置２０側に設けたか予めユーザーによって選択させる。外部機器６０の選択では、例えば端末装置４０に付属されたリモートコントロール装置５９を操作して、テレビジョン装置７０の画面上に外部機器６０を選択するためのリモコンスルー機能設定画面を表示させたのち、このリモコンスルー機能設定画面上で外部機器６０の選択操作をユーザーによって行わせる。
【００６５】
図４は、リモコンスルー機能設定画面を例示している。リモコンスルー機能設定画面では、外部機器６０の製造メーカーを一覧表示するメーカー表示領域７０１a、ユーザーによって選択されたメーカーに対して登録されている機種を一覧表示する機種表示領域７０１bが設けられている。なお、メーカー表示領域や機種表示領域の表示サイズに対して、表示するメーカーや機種の数が多いときには、表示をスクロールさせることで全てのメーカーや機種を表示できるようにスクロールバー表示７０１c，７０１dが設けられている。また、リモコンスルー機能設定画面では、選択された外部機器を正しく遠隔制御できるか否かを確認するための操作キー表示、例えば選択された外部機器の電源動作が正しく動作するか否かを示すための電源入／切キー表示７０１eが設けられている。さらに、リモコンスルー機能を有効とするか無効とするか選択するためのリモコンスルー機能設定表示７０１fが設けられている。また、２台目の外部機器を設定するためのキー表示７０１g、新たな設定画面に進むためのキー表示７０１hや前の画面に戻るためのキー表示７０１iが設けられており、画面を切り替えて複数の外部機器を設定することができるようになされている。また、リモコンスルー機能設定画面では設定を完了するためのキー表示７０１jも設けられている。
【００６６】
端末制御部５０は、リモートコントロール信号ＩＲsを受信して得られたリモコンコード情報Ｊrmcに基づいて、リモートコントロール装置５９でどのようなユーザー操作が行われているかを判別する。ここで、メーカー表示領域７０１aにおいてメーカーを指定するユーザー操作がなされたときは、指定されたメーカーに対して登録されている機種を機種表示領域７０１bに一覧表示する。また、機種表示領域７０１bにおいて機種を選択するユーザー操作がなされたとき、この選択されたメーカーにおける選択された機種を、ベース装置２０側に設けられている外部機器とする。さらに、リモコンスルー機能設定表示７０１fに設けられている例えばチェックボックスに対して、ユーザー操作によってチェックマークが設定されているときにはリモコンスルー機能を有効、チェックマークが外されているときにはリモコンスルー機能を無効とする。
【００６７】
このように、リモコンスルー機能を有効にして、リモコンコード情報を端末装置４０からベース装置２０に送信させる第１の動作モードと、リモコンスルー機能を無効にして、リモコンコード情報を端末装置４０からベース装置２０に送信させない第２の動作モードを設けて、リモコンスルー機能設定画面上で選択可能とすれば、ユーザーの意図に応じて外部機器を遠隔制御することができる。すなわち、外部機器の遠隔制御を行わないときは第２の動作モードを選択することで、外部機器の遠隔制御を確実に停止できる。また、第１の動作モードを選択することで、端末装置４０側からベース装置２０側に設けられている外部機器の遠隔制御を行うことが可能となる。
【００６８】
なお、ベース装置２０側に設けられている２つの外部機器を遠隔制御するときは、キー表示７０１gを選択する操作を行う。キー表示７０１gが選択されたときは、上述と同様な設定画面を新たに表示して次の外部機器の設定を行う。また、キー表示７０１jを選択する操作が行われたときは、設定画面を終了して外部機器の設定状態を動作に反映させる。
【００６９】
次に、リモコンスルー機能の動作について説明する。リモコンスルー機能では、端末装置４０で受信されたリモートコントロール信号が、選択された外部機器で用いられる信号であると判定したとき、この端末装置４０で受信されたリモートコントロール信号と等しいリモートコントロール信号をベース装置２０のリモコン信号送信部２８から出力させることで、選択された外部機器のみを遠隔制御する。
【００７０】
端末装置４０で受信されたリモートコントロール信号が、選択された外部機器で用いられる信号であるか否かの判定では、上述のように、端末装置４０のリモコン受信信号処理部４７で生成されるリモコンコード情報Ｊrmcと、選択された外部機器で用いるリモートコントロール信号であるか判別するための判別情報Ｊesが一致するか否かを判定する。
【００７１】
ここで、リモコンスルー機能設定画面で表示される機種に対応した判別情報をメモリに記憶させておき、リモコンスルー機能設定画面で機種の選択が行われたときは、選択された機種に対応する判別情報Ｊesを判定に用いる。
【００７２】
図５は、メモリに記憶された判別情報を例示している。判別情報は、リモートコントロール信号が、いずれのメーカーのフォーマットであるかを判別するためのフォーマット情報と、いずれのカテゴリの機種に対するリモートコントロール信号であるかを示すコード信号である機種情報で構成する。さらに、どのような制御機能を実行するための信号であるかを示すコード信号である機能情報を用いるものとしてもよい。また、メモリには、リモコンスルー機能設定画面で選択可能な外部機器のそれぞれに対する判別情報を予め記憶させておき、外部機器が選択されたときには、選択された外部機器に対応した判別情報を判定で用いる判別情報Ｊesとして設定する。なお、図５において、一点鎖線で囲む判別情報は、図４に示すリモコンスルー機能設定画面で、Ｂ社のＤＶＤ（１）の機種を選択してリモコンスルー機能を有効する場合に、判定で用いる判別情報Ｊesを示している。
【００７３】
このように、フォーマット情報と機種情報で判別情報を構成すれば、選択可能な機種が多くなっても判別情報を記憶するためのメモリ領域が少なくてすむ。また、リモコンコード情報Ｊrmcと判別情報Ｊesが一致するか否かの判定を容易に行うことができる。さらに、判別情報にすべての機能情報を含めて判定を行うものとすると、機能情報の登録漏れが生じたとき、選択された外部機器で用いるリモートコントロール信号であるか否か正しく判定することができない。また、リモコンコード情報Ｊrmcが誤って生成されるときは、機能情報だけでなくフォーマット情報や機種情報も誤ったものとなる場合が多い。したがって、フォーマット情報と機種情報で判別情報Ｊesを構成することで、判別情報の登録が容易となり、選択された外部機器で用いるリモートコントロール信号であるか否かの判定精度も確保できる。
【００７４】
なお、図５では、判別情報に電源ＯＮ／ＯＦＦの機能情報とメニュー表示の機能情報を設けているが、リモコンスルー機能設定画面で電源キーが操作されたとき、この判別情報をリモコンコード情報として用いることで、リモートコントロール信号を受信しなくとも、選択された外部機器の遠隔制御が可能であるか否かを確認できる。また、この機能情報を用いて判定を行えば、リモートコントロール装置で電源ＯＮ／ＯＦＦ操作やメニュー表示操作が行われたとき、機能情報の確認も行うことができる。
【００７５】
さらに、リモコンスルー機能の設定では、図４に示すリモコンスルー機能設定画面に表示された製造メーカーおよび機種を選択するものとしたが、表示されていない製造メーカーについてもリモコンスルー機能の設定を行えるようにしてもよい。この場合、リモコン受信信号処理部４７は、表示していない製造メーカーのリモコン受信信号Ｄrmcのデコード処理を行ってリモコンコード情報Ｊrmcの生成を行う。また、表示されていない製造メーカーの機器を遠隔制御可能とするため、表示されていない製造メーカーの機器に対応する判別情報をメモリに記憶させて、この記憶された判別情報とリモコンコード情報Ｊrmcが一致するか否かの判定を行うものとする。
【００７６】
表示されていない製造メーカーの機器に対応する判別情報は、端末装置４０を学習モードに設定して学習動作を行いメモリに記憶させる。図６は学習動作を示すフローチャートである。
【００７７】
ステップＳＴ１で端末装置４０の端末制御部５０は、学習可能な信号を受信したか否かを判別する。ここで、学習させるリモートコントロール装置からリモートコントロール信号をリモコン信号受信部４６に供給して、リモコン受信信号処理部４７からリモコンコード情報Ｊrmcが出力されたとき、端末制御部５０は学習可能な信号を受信したと判別してステップＳＴ２に進む。また、リモコン受信信号処理部４７からリモコンコード情報Ｊrmcが出力されていないとき、端末制御部５０は学習可能な信号を受信していないと判別してステップＳＴ１に戻る。
【００７８】
ステップＳＴ２で端末制御部５０は、リモコンコード情報Ｊrmcから判別情報を生成する。端末制御部５０は、リモコンコード情報Ｊrmcから、製造メーカーのフォーマットを示すフォーマット情報と、いずれのカテゴリの機種に対するリモートコントロール信号であるかを示すコード信号である機種情報を抽出して、抽出したフォーマット情報と機種情報を判別情報としてステップＳＴ３に進む。
【００７９】
ステップＳＴ３で端末制御部５０は、ステップＳＴ２で生成した判別情報をメモリに記憶させて学習動作を終了する。
【００８０】
このように、学習によって判別情報をメモリに記憶させることで、リモコンスルー機能設定画面に表示されていない製造メーカーの機器を用いる場合でもリモコンスルー機能を利用できるようになり、ユーザーの使い勝手を向上できる。
【００８１】
また、ステップＳＴ２でフォーマット情報と機種情報を判別情報とすることで、機能毎に判別情報を学習させる必要がなく、学習動作を簡単に完了できる。
【００８２】
予め記憶されたあるいは学習動作によって記憶された判別情報Ｊesと、リモコン受信信号処理部４７から出力されたリモコンコード情報Ｊrmcが一致するか否の判定は、端末装置４０の端末制御部５０で行うものとしてもよく、ベース装置２０のベース制御部３０で行うものとしてもよい。また、リモコンコード情報Ｊrmcと判別情報Ｊesが一致するか否の判定を端末装置４０の端末制御部５０で行う場合、ＥＥＰＲＯＭ５０４に各外部機器の判別情報を予め登録しておき、選択された外部機器に対応する判別情報Ｊesを用いるようにすれば、判定を容易に行うことができる。同様に、判定をベース装置２０のベース制御部３０で行う場合、ＥＥＰＲＯＭ３０４に各外部機器の判別情報を予め登録しておき、選択された外部機器に対応する判別情報Ｊesを用いるようにすれば、判定を容易に行うことができる。また、判定をベース装置２０のベース制御部３０で行う場合、上述のように学習動作によって得られた判別情報を端末装置４０からベース装置２０に供給して、ＥＥＰＲＯＭ３０４に記憶させる。
【００８３】
図７は、情報通信システム１０の動作を示すフローチャートであり、リモコンコード情報Ｊrmcと判別情報Ｊesが一致するか否の判定を端末装置４０の端末制御部５０で行う場合を示している。
【００８４】
ステップＳＴ１１で端末装置４０の端末制御部５０は、リモートコントロール信号ＩＲs(ＩＲe)を受信したか否かを判別する。ここで、端末制御部５０は、リモートコントロール信号ＩＲs(ＩＲe)を受信していないとき、すなわちリモコン受信信号処理部４７からリモコンコード情報Ｊrmcが供給されないときはステップＳＴ１１に戻り、リモコンコード情報Ｊrmcが供給されたときは、ステップＳＴ１２に進む。
【００８５】
ステップＳＴ１２で端末制御部５０は、リモコンコード情報Ｊrmcがリモコンスルー機能の設定操作に関する情報であるか否かの判別を行う。ここで、端末制御部５０は、リモコンコード情報Ｊrmcがリモートコントロール信号ＩＲsに基づくものであり、リモコンスルー機能の設定操作を示しているときはステップＳＴ１３に進み、リモコンスルー機能の設定操作を示していないときはステップＳＴ１４に進む。
【００８６】
ステップＳＴ１３で端末制御部５０は、リモコンスルー機能の設定を行う。すなわち、端末制御部５０は、オンスクリーン表示処理部４３の動作を制御してテレビジョン装置７０の画面上に、図４に示すリモコンスルー機能設定画面を表示させる。さらに、リモコンスルー機能設定画面を表示しているときに供給されたリモコンコード情報Ｊrmcに基づき、外部機器の選択やリモコンスルー機能の有効／無効の設定等を行いステップＳＴ１１に戻る。
【００８７】
ステップＳＴ１４で端末制御部５０は、リモコンコード情報Ｊrmcと判別情報Ｊesが一致するか否の判定を行う。すなわち、端末制御部５０は、リモコンコード情報Ｊrmcと選択された外部機器で用いるリモートコントロール信号であるか判別するための判別情報Ｊesが一致するか否かの判定を、リモコンスルー機能が有効とされているときに行う。ここで、リモコンコード情報Ｊrmcが、選択された外部機器で用いられるリモートコントロール信号ＩＲeを受信したときに生成されたものであるときは、リモコンコード情報Ｊrmcと判別情報Ｊesが一致してステップＳＴ１５に進み、他の場合にはステップＳＴ１１に戻る。
【００８８】
ステップＳＴ１５で端末制御部５０は、リモコンコード情報の送信処理を行う。端末制御部５０は、判別情報Ｊesと一致するリモコンコード情報Ｊrmcをリモコンコード情報Ｊrmbとして、このリモコンコード情報Ｊrmbを示す情報信号ＴＤbを無線ネットワーク８１あるいは有線ネットワーク８２を介して、ベース装置２０に送信してステップＳＴ１１に戻る。
【００８９】
ステップＳＴ２１でベース装置２０のベース制御部３０は、無線ネットワーク８１あるいは有線ネットワーク８２を介して情報信号ＴＤbが供給されたか否かを判別する。ここで、ベース制御部３０は、情報信号ＴＤbが供給されていないときステップＳＴ２１に戻り、情報信号ＴＤbが供給されたときステップＳＴ２２に進む。
【００９０】
ステップＳＴ２２でベース制御部３０は、供給された情報信号ＴＤbがリモコンコード情報を示すときはステップＳＴ２３に進む。また、供給された情報信号ＴＤbがリモコンコード情報を示していないときはステップＳＴ２４に進む。
【００９１】
ステップＳＴ２３でベース制御部３０は、リモコン信号送信処理を行う。すなわち、ベース制御部３０は、端末装置４０から供給された情報信号ＴＤbによって示されたリモコンコード情報Ｊrmbをリモコン送信信号生成部２７に供給することで、端末装置４０のリモコン信号受信部４６で受信されたリモートコントロール信号ＩＲeと等しいリモートコントロール信号ＩＲbを、リモコン信号送信部２８から出力させてステップＳＴ２１に戻る。
【００９２】
ステップＳＴ２４では、情報信号ＴＤbに応じた制御処理を行う。例えば、情報信号ＴＤbがチャネル切り替えや情報切り替えを示す制御信号であるとき、この情報信号ＴＤbに応じた制御動作を行ってステップＳＴ２１に戻る。
【００９３】
このようにすれば、リモコンスルー機能を有効として選択された外部機器に対応するリモコンコード情報Ｊrmbのみが、端末装置４０からベース装置２０に供給されるので、ベース装置２０から選択された外部機器とは異なる外部機器に対応したリモートコントロール信号が送信されることがない。したがって、端末装置４０でリモートコントロール信号が誤検出されて、選択された外部機器とは異なる外部機器が誤って遠隔制御されてしまうことを防止できる。さらに、選択された外部機器に対応するリモコンコード情報Ｊrmbのみが端末装置４０からベース装置２０に供給されるので、不要なリモコンコード情報の送信処理が行われることがなく、ベース装置２０と端末装置４０との双方向通信を効率良く行うことができる。
【００９４】
次に、リモコンコード情報Ｊrmcと判別情報Ｊesが一致するか否の判定をベース装置２０のベース制御部３０で行う場合を、情報通信システム１０の他の動作として図８に示す。
【００９５】
ステップＳＴ３１で端末装置４０の端末制御部５０は、リモートコントロール信号ＩＲs(ＩＲe)を受信したか否かを判別する。ここで、端末制御部５０は、リモートコントロール信号ＩＲs(ＩＲe)を受信していないとき、すなわちリモコン受信信号処理部４７からリモコンコード情報Ｊrmcが供給されないときはステップＳＴ３１に戻り、リモコンコード情報Ｊrmcが供給されたときは、ステップＳＴ３２に進む。
【００９６】
ステップＳＴ３２で端末制御部５０は、リモコンコード情報の送信処理を行う。端末制御部５０は、リモコンコード情報Ｊrmcを示す情報信号ＴＤbを無線ネットワーク８１あるいは有線ネットワーク８２を介して、ベース装置２０に送信してステップＳＴ３１に戻る。
【００９７】
ステップＳＴ４１でベース装置２０のベース制御部３０は、無線ネットワーク８１あるいは有線ネットワーク８２を介して情報信号ＴＤbが供給されたか否かを判別する。ここで、ベース制御部３０は、情報信号ＴＤbが供給されていないときステップＳＴ４１に戻り、情報信号ＴＤbが供給されたときステップＳＴ４２に進む。
【００９８】
ステップＳＴ４２でベース制御部３０は、供給された情報信号ＴＤbがリモコンコード情報を示すときステップＳＴ４３に進む。また、供給された情報信号ＴＤbがリモコンコード情報と異なるときはステップＳＴ４５に進む。
【００９９】
ステップＳＴ４３で端末制御部５０は、供給されたリモコンコード情報Ｊrmcと判別情報Ｊesが一致するか否の判定を行う。すなわち、端末制御部５０は、端末装置４０から供給されたリモコンコード情報Ｊrmcと、選択された外部機器で用いるリモートコントロール信号であるか判別するための判別情報Ｊesが一致するか否かの判定を、リモコンスルー機能が有効とされているときに行う。ここで、リモコンコード情報Ｊrmcと判別情報Ｊesが一致するときにはステップＳＴ４４に進み、他の場合にはステップＳＴ４１に戻る。
【０１００】
なお、リモコンスルー機能の設定は、ベース装置２０で予め行っておく、例えばベース装置２０から端末装置４０に対して、テレビジョン装置７０の画面上にリモコンスルー機能設定画面を表示させるための情報信号を送信して、リモコンスルー機能設定画面を表示しているときに端末装置４０からベース装置２０に供給されたリモコンコード情報に基づき、外部機器の選択やリモコンスルー機能の有効／無効の設定等をベース装置２０で行う。
【０１０１】
ステップＳＴ４４でベース制御部３０は、リモコン信号送信処理を行う。すなわち、ベース制御部３０は、端末装置４０から供給されたリモコンコード情報Ｊrmcが判別情報Ｊesと一致するとき、このリモコンコード情報Ｊrmcをリモコンコード情報Ｊrmbとしてリモコン送信信号生成部２７に供給することで、端末装置４０のリモコン信号受信部４６で受信されたリモートコントロール信号ＩＲeと等しいリモートコントロール信号ＩＲbを、リモコン信号送信部２８から出力させてステップＳＴ４１に戻る。
【０１０２】
ステップＳＴ４５では、情報信号ＴＤbに応じた制御処理を行う。例えば、情報信号ＴＤbがチャネル切り替えや情報切り替えを示す制御信号であるとき、この情報信号ＴＤbに応じた制御動作を行ってステップＳＴ４１に戻る。
【０１０３】
このようにすれば、リモコンスルー機能が有効とされているとき、選択された外部機器に対応するリモートコントロール信号のみがベース装置２０のリモコン信号送信部２８から送信されるので、選択された外部機器とは異なる外部機器が誤って遠隔制御されてしまうことを防止できる。さらに、ベース装置２０でリモコンコード情報Ｊrmcと判別情報Ｊesが一致するか否の判定を行うので、生成したリモコンコード情報Ｊrmcをそのまま送信する端末装置を既に複数有している場合に、ベース装置のみを新たなものとすることで、ベース装置側に設けられている外部機器を、端末装置側から正しく遠隔制御することができる。
【０１０４】
なお、上述の実施の形態では、無線ネットワーク８１と有線ネットワーク８２を利用して双方向通信を行うことができる構成を示したが、ベース装置２０や端末装置４０は、無線ネットワーク８１あるいは有線ネットワーク８２のいずれか一方で双方向通信を行うように構成しても良いことは勿論である。
【図面の簡単な説明】
【０１０５】
【図１】情報通信システムの構成を示す図である。
【図２】ベース装置の構成を示す図である。
【図３】端末装置の構成を示す図である。
【図４】リモコンスルー機能設定画面を示す図である。
【図５】判別情報を示す図である。
【図６】学習動作を示すフローチャートである。
【図７】情報通信システムの動作を示すフローチャートである。
【図８】情報通信システムの他の動作を示すフローチャートである。
【符号の説明】
【０１０６】
１０・・・情報通信システム、２０・・・ベース装置、２１・・・放送受信アンテナ、２２・・・チューナ、２３・・・外部入力端子、２４・・・セレクタ、２５・・・圧縮処理部、２６，４１・・・通信部、２７・・・リモコン送信信号生成部、２８・・・リモコン信号送信部、３０・・・ベース制御部、３１，５１・・・バス、４０・・・端末装置、４２・・・伸長処理部、４３・・・オンスクリーン表示処理部、４４・・・映像出力端子、４５・・・音声出力端子、４６・・・リモコン信号受信部、４７・・・リモコン受信信号処理部、５０・・・端末制御部、５９，６９・・・リモートコントロール装置、６０・・・外部機器、７０・・・テレビジョン装置、８１・・・無線ネットワーク、８２・・・有線ネットワーク、２６１，４１４・・・無線送信処理部、２６２，４１２・・・デュプレクサ、２６３，４１１・・・送受信アンテナ、２６４，４１３・・・無線受信処理部、２６５，４１５・・・通信インタフェース部、３０１，５０１・・・ＣＰＵ，３０２，５０２・・・ＲＯＭ、３０３，５０３・・・ＲＡＭ、３０４，５０４・・・ＥＥＰＲＯＭ、７０１a・・・メーカー表示領域、７０１b・・・機種表示領域、７０１c，７０１d・・・スクロールバー表示、７０１e・・・電源入／切キー表示、７０１f・・・リモコンスルー機能設定表示、７０１g，７０１h，７０１i，７０１j・・・キー表示
【図１】
2008092558.tif 000003
【図２】
2008092558.tif 000004
【図３】
2008092558.tif 000005
【図４】
2008092558.tif 000006
【図５】
2008092558.tif 000007
【図６】
2008092558.tif 000008
【図７】
2008092558.tif 000009
【図８】
2008092558.tif 000010